(57)【要約】      （修正有）【課題】パレットへ巻き付けたシートが外れることを抑制することができるシート巻き装置、巻き付け方法および梱包物を提供すること。【解決手段】回転テーブル２の回転により、荷物を載置可能なパレット１の側面に所定の幅のストレッチフィルムを仮巻きして段差を形成する。その後ストレッチフィルム供給軸４の高さを変更してパレット１と荷物６との全てがストレッチフィルム８で巻かれるように所定のテンションで本巻することにより、本巻部分が仮巻部分の段差にひっかかり外れることがない。【選択図】図１
2016216052.tif 000002
【特許請求の範囲】
【請求項１】
荷物を載置可能なパレットに、シートを巻き付ける巻き付け方法において、
前記パレットの厚さ方向の面に、所定の幅の前記シートを巻き付けることで、前記パレットの厚さ方向の面の一端部から所定距離の位置に段差を形成する仮巻き工程を有することを特徴とする巻き付け方法。
【請求項２】
前記パレットの厚さ方向の面の一端部側を下にした姿勢の前記パレットには荷物が搭載されており、前記段差を覆いつつ、前記シートを前記パレットおよび前記荷物に巻き付ける本巻き工程を更に有する請求項１に記載の巻き付け方法。
【請求項３】
シートの端部からシートを押圧することで、シートを前記所定の幅にする請求項１または請求項２に記載の巻き付け方法。
【請求項４】
シートを切断することで、シートを前記所定の幅にする請求項１または請求項２に記載の巻き付け方法。
【請求項５】
シートは伸縮性を備えたシートである請求項１ないし請求項４のいずれか１項に記載の巻き付け方法。
【請求項６】
前記パレットを載せたテーブルを回転させる工程を更に有し、テーブルを回転することで、シートを前記パレットに巻き付ける請求項１ないし請求項５のいずれか１項に記載の巻き付け方法。
【請求項７】
荷物を搭載したパレットを搭載可能であり、回転可能なテーブルと、
前記テーブルに搭載した前記パレットと荷物とに巻き付けるシートを供給可能なシート供給部と、
を備えたシート巻き装置において、
前記テーブルの回転に伴って、前記テーブルに搭載した前記パレットの側面に、前記供給部から供給されるシートを所定の幅で巻き付けることで、前記パレットの側面の下端部から所定の高さ位置に段差を形成することを特徴とするシート巻き装置。
【請求項８】
前記パレットには荷物が搭載されており、前記段差を覆いつつ、前記シートを前記パレットおよび前記荷物に巻き付ける請求項７に記載のシート巻き装置。
【請求項９】
シートの端部を押圧することで、シートを所定の幅にするガイド部材を備えている請求項７または請求項８に記載のシート巻き装置。
【請求項１０】
シートを切断することで、シートを所定の幅にする切断部材を備えている請求項７または請求項８に記載のシート巻き装置。
【請求項１１】
シートを切断しつつ、前記パレットおよび前記荷物にシートを巻き付ける請求項１０に記載のシート巻き装置。
【請求項１２】
パレットに搭載された荷物と前記パレットとにシートを巻き付けた梱包物において、
前記パレットの側面に前記シートを巻き付けることで、前記パレットの側面の下端部から所定の高さ位置に段差が形成されていることを特徴とする梱包物。
【発明の詳細な説明】
【技術分野】
【０００１】
本発明は、パレット上に積載した荷物とパレットとを固定するシートを巻く、シート巻き装置、巻き付け方法および梱包物に関する。
【背景技術】
【０００２】
製品の出荷形態として、段ボールなどの荷物を複数段に積み重ねてパレットに積載し、荷物の荷崩れを防ぐために、荷物の周囲にストレッチフィルムを巻き付けて固定することがある。ストレッチフィルムは、荷物を巻く際にパレットと荷物の両方にまたがって巻きつけることが多い。しかし、ストレッチフィルムを荷物に巻き付けている途中や、荷物の搬送途中等に、ストレッチフィルムがパレットから外れることがある。
【０００３】
そこで特許文献１には、パレット角部に凸部を設けた合成樹脂製パレットを用いて、ストレッチフィルムをパレットの凸部に引っ掛けることで、ストレッチフィルムが外れるのを防止することが記載されている。
【先行技術文献】
【特許文献】
【０００４】
【特許文献１】特開２００１−２７０５２５号公報
【発明の概要】
【発明が解決しようとする課題】
【０００５】
しかし、特許文献１の方法は、パレットが凸部を備えているという特殊なパレットを用いた場合に有効な方法であり、一般的に用いられている凸部を備えていないパレットには適用することができない。
【０００６】
そこで、本発明は、パレットへ巻き付けたシートが外れることを抑制することができるシート巻き装置、巻き付け方法および梱包物を提供することを目的とする。
【課題を解決するための手段】
【０００７】
本発明の巻き付け方法は、荷物を載置可能なパレットに、シートを巻き付ける巻き付け方法において、前記パレットの厚さ方向の面に、所定の幅の前記シートを巻き付けることで、前記パレットの厚さ方向の面の一端部から所定距離の位置に段差を形成する仮巻き工程を有することを特徴とする。
【発明の効果】
【０００８】
本発明によれば、パレットへ巻き付けたシートが外れることを抑制することができるシート巻き装置、巻き付け方法および梱包物を実現することができる。
【図面の簡単な説明】
【０００９】
【図１】フィルム巻き装置の全体を示す斜視図である。
【図２】ストレッチフィルム巻き機を示した上面図である。
【図３】フィルムガイドを示した図である。
【図４】ストレッチフィルム巻き付けにおける処理を示したフローチャートである。
【図５】ストレッチフィルムを巻き付けたパレットおよび荷物を示した図である。
【図６】ストレッチフィルムの巻き付けが完了した状態を示した図である。
【図７】従来の方法でストレッチフィルムを巻いたパレットと荷物を示した図である。
【図８】本発明の方法で巻いたパレットを示した断面図である。
【図９】フィルム巻き装置の全体を示す斜視図である。
【図１０】フィルムガイドを示した図である。
【図１１】ストレッチフィルムをパレットと荷物に巻き付けた状態を示した図である。
【発明を実施するための形態】
【００１０】
（第１の実施形態）
以下、図面を参照して本発明の第１の実施形態を説明する。  
図１は、フィルム巻き装置１５の全体を示す斜視図である。フィルム巻き装置１５は、荷物を載置可能なパレット１を載せ（搭載可能）回転可能な回転テーブル２と、ストレッチフィルムロール３が取り付けられストレッチフィルム８を供給可能なストレッチフィルム供給軸４を備えている。更にフィルム巻き装置１５は、ストレッチフィルム８をパレット１に巻きつける際のガイドとなるフィルムガイド（ガイド部材）５を備えている。フィルムガイド５は、パレット１とストレッチフィルム供給軸（シート供給部）４との間に設けられており、回動自在に一端が軸支された棒状のガイドである。ストレッチフィルム８をセットする際は、水平状態になった棒状のフィルムガイド５の下を通して回転テーブル２上のパレット１にストレッチフィルム８を結び付ける。この時、フィルムガイド５はパレット１の上面よりも低い位置で水平状態を維持しており、パレット１に結び付けられたストレッチフィルム８は、フィルムガイド５からパレット１の側面に沿って延びている。回転テーブル２上に載せてあるパレット１には、荷物６が積載されており、この状態で回転テーブル２を回転することで、パレット１および荷物６にストレッチフィルム８を巻きつける。巻き付け開始時は、フィルムガイド５によりストレッチフィルム８がパレット１の上面よりも低く押さえられていることにより、パレット１の側面にストレッチフィルム８が巻きつけられる。
【００１１】
ストレッチフィルムロール３は、ストレッチフィルム供給軸４に固定されており、ストレッチフィルム供給軸４は、ストレッチフィルム８を巻き付ける荷物６の高さに応じて図１の高さ方向に移動することが可能である。なお、巻き付け開始時にはストレッチフィルム供給軸４は、ストレッチフィルム８下端部がパレット１の側面の位置となる高さとなっている。回転テーブル２が回転し、ストレッチフィルム８が荷物６やパレット１に巻かれるに伴い、ストレッチフィルム供給軸４がストレッチフィルムロール３の軸を中心として回転することでストレッチフィルム８が荷物側へと繰り出される。荷物６への巻き付け回数は任意に設定可能であり、回転テーブル２の回転数で決定される。
【００１２】
図２は、ストレッチフィルム巻き機１５を示した上面図である。本実施形態では、ポリエチレンを材料とし、フィルム表面に粘着性を持ち、幅５００ｍｍ、厚さ約１５μｍのストレッチフィルム８を使用した。また、本実施形態で使用した荷物６は、段ボール箱であり、下段に６箱を横２列、縦３列に並べ、それを４段積み重ねた。使用した段ボールの大きさは、外形、横４００ｍｍ、縦３００ｍｍ、高さ２５０ｍｍの大きさであり、パレット１は、横９００ｍｍ、縦１１００ｍｍ、幅１５０ｍｍの樹脂製パレットを使用した。よって、荷物６をパレット１上に積載した状態では、荷物６の両脇に横方向で５０ｍｍ、縦方向で１００ｍｍ程、パレット１の外形よりも荷物６が小さい状態である。
【００１３】
ストレッチフィルム供給軸４とフィルムガイド５との間の距離１０について説明する。距離１０は、ストレッチフィルムロール３からストレッチフィルム８が抵抗なく供給できる距離に設定され、本実施形態で使用したストレッチフィルム８の場合、８０±１０ｃｍが好ましい。そこで、本実施形態では、その距離１０を７０ｃｍに設定した。
【００１４】
図３（ａ）から（ｃ）は、フィルムガイド５を示した図である。前述したようにフィルムガイド５は回動可能に構成されており、図３（ａ）のように、実線で示した水平状態の状態Ａ（フィルムガイド姿勢）と、二点鎖線で示した垂直状態の状態Ｂ（非フィルムガイド姿勢）の姿勢をとることができる。フィルムをガイドする状態Ａの時には、フィルムガイド５がストレッチフィルム供給軸４から引き出されたストレッチフィルム８を押圧することによりストレッチフィルム８の幅方向に縮めている。なお、図３（ｂ）のように回動しない構成とし、フィルムガイド５が水平方向に移動することで長さを変更可能な構成としてもよい。その場合、フィルムガイド５を伸ばした状態である状態Ｃの時にストレッチフィルム８をガイドし、ストレッチフィルム８をガイドしない時には、フィルムガイド５を縮めた状態である状態Ｄとする。本実施形態では、図３（ｃ）に示す様に、ストレッチフィルム８が荷物６側へ供給される際の抵抗を少なくするように、直径が３０ｍｍで長さが３００ｍｍの円筒形状のフィルムガイド５が、ベアリングを介して、固定された中心軸９に取り付けられている。フィルムガイド５を水平姿勢（フィルムガイド姿勢）にした際の高さは、ストレッチフィルム８がパレット１の厚さの略中心に巻かれるような高さにすることが好ましい。本実施形態で使用したパレット１の幅は１５０ｍｍであり、本実施形態ではパレット１の厚さの中心に対して±３０ｍｍ以内にセットされている。
【００１５】
図４は、ストレッチフィルム巻き付けにおける処理を示したフローチャートである。また、図５は、ストレッチフィルム８を巻き付けたパレット１および荷物６を示した図であり、図６は、ストレッチフィルム８の巻き付けが完了した状態を示した図である。以下、図５、図６を参照しつつ図４のフローチャートを用いて、本実施形態におけるストレッチフィルム８の巻き付けを説明する。
【００１６】
ストレッチフィルム８の巻き付けを開始するには、先ずステップＳ１で、パレット１を回転テーブル２に乗せて、ステップＳ２で、パレット１に荷物６を載せる。この時フィルムガイド５は、ストレッチフィルム８をガイドする位置にある。また、ストレッチフィルム供給軸４の高さは、ストレッチフィルム８の下端が、フィルムガイド５よりも下にならない位置とする。その後、ステップＳ３で、ストレッチフィルム８の端を作業者によってフィルムガイド５の下を通して、パレット１上面などに結ぶか、荷物６とパレット１とに挟ませるなどにより固定する。ここまでのステップＳ１からステップＳ３までの処理を「巻き準備工程」と呼ぶ。
【００１７】
その後、ステップＳ４で、作業者がフィルム巻き装置１５のスタートスイッチを押すことで回転テーブル２を回転させ、ステップＳ５で、ストレッチフィルム８がパレット１に巻かれる。この時ストレッチフィルム８は、フィルムガイド５でガイドされることにより、フィルムの幅方向に縮められて、幅２０ｍｍ程度に細長くまとめられた状態でパレット１の側面の下端部（一端部側）から所定の高さ（所定距離の）位置に巻き付く。その後、ステップＳ６で、回転テーブル２を２回転させる。ここまでのステップＳ４からステップＳ６までの処理を「仮巻き工程」と呼ぶ。
【００１８】
その後、ステップＳ７で、フィルムガイド５を非フィルムガイド姿勢にして、ストレッチフィルム８をガイドから開放し、ステップＳ８で、ストレッチフィルム供給軸４を下降させる。この後の工程では、仮巻き工程で巻き付けたストレッチフィルム８に被る様にストレッチフィルム８を巻くため、本実施形態では下降距離を２０ｍｍに設定した。
【００１９】
そして、ステップＳ９における回転テーブル２の回転によって、ストレッチフィルム８が、パレット１と荷物６との両方に巻かれる（図５参照）。ステップＳ１０では、ストレッチフィルム供給軸４の高さを変更してパレット１と荷物６との全てがストレッチフィルム８で巻かれるようにする。そして、ステップＳ１１で、パレット１と荷物６とが所定回数巻かれたら、ストレッチフィルム８の巻き付けが終了となる（図６参照）。ここまでのステップＳ９からステップＳ１１までの処理を「本巻き工程」と呼ぶ。
【００２０】
ここで、仮巻き工程から本巻き工程について説明する。フィルムガイド５によりストレッチフィルム８をパレット１のみに巻きつける回数は、巻かれたストレッチフィルム８の厚みを持たせるために、パレット１に２回以上、４回以下の回数で巻き付けることが好ましい。仮巻き工程で、ストレッチフィルム８をパレット１に対して巻く回数が５回を超えると、巻き高さが高くなり、本巻き工程で巻いたストレッチフィルム８に引っ張られる。そして、仮巻きしたストレッチフィルム８が高さ方向で崩れて、本巻き工程で巻いたストレッチフィルム８が外れる場合がある。そのため、本実施形態ではパレット１への巻き数を２回に設定した。また、本実施形態では、パレット１と最下段の荷物６に３回、中段の荷物６に２回、最上段の荷物６に３回、ストレッチフィルム８を巻き付けた。
【００２１】
図７は、従来の方法でストレッチフィルムを巻いたパレットと荷物とを示した図であり、図８は、本発明の方法で巻いたパレットを示した断面図である。従来の巻き付け方式では、図７に示す様に中段に巻き付けられたストレッチフィルム８Ｍにより、矢印方向に下段のストレッチフィルム８Ｌが引っ張られる力が働く。それに対し下段に巻いたストレッチフィルム８Ｌは、留まろうとする力がパレット１の上面角部に生じるが、力関係によっては、ストレッチフィルム８Ｌがパレット１から外れることがある。
【００２２】
図８のように、本発明の方法で巻いた場合には、仮巻き工程で巻いたストレッチフィルム８Ｔは所定の厚みをもってパレット１に巻きついている。つまり、パレット１の側面の下端部から所定の高さ位置にストレッチフィルム８Ｔによって段差が形成されている。そこに、本巻き工程でストレッチフィルム８Ｒが所定のテンションで巻かれることにより、ストレッチフィルム８Ｔとストレッチフィルム８Ｒとの接触部１３の段差が引っかかりとなる。そして、パレット１の側面の下端部と接触部１３とを比較した場合、パレット１の側面の下端部の方が周長が短くなる。そのため、本巻き工程で巻き付けたストレッチフィルム８が外れるには、パレット１の側面の下端部に巻きつけたストレッチフィルム８が接触部１３の周長まで伸びなければ外れない。ストレッチフィルム８は所定のテンションで巻き付けられ、巻き付けられた後は容易には延びないため、ストレッチフィルム８Ｒはパレット１から外れにくくなる。また、パレット１に積載した荷物６が、パレット１からはみ出て積載される場合もある。その場合、ストレッチフィルム８が荷物６に引っかかり、パレット１にストレッチフィルム８のテンションがかかりにくいため、パレット１に対する荷物６の固定が弱くなることがある。しかし、本実施形態の方法の場合、仮巻き工程でパレット１に巻いたストレッチフィルム８の厚みにより、パレット１と荷物６との段差を軽減あるいは無くすことができ、より強固にストレッチフィルム８を荷物６に対して巻き付けることが可能である。
【００２３】
なお、本実施形態では、フィルムガイド５は、図３（ａ）、（ｂ）に示したように回動するか長さの変更ができる構成を説明したが、それに加えて、高さ方向（パレットの厚み方向）への移動が可能な構成であってもよい。本実施形態では、厚さ１５０ｍｍのパレットのみを用いたが、異なる厚さのパレットを用いてストレッチフィルム８の巻き付けを行う場合には、パレットの厚さに合わせてフィルムガイド５の高さ方向への移動が可能な構成が有効である。
【００２４】
また、本実施形態では、仮巻き工程から本巻き工程を連続して行う方法を説明したが、これに限定するものではない。つまり、仮巻き工程でストレッチフィルム８をパレット１に巻き付けた後、ストレッチフィルム８を一旦パレット１に固定して、その後、改めて本巻き工程を実施してもよい。
【００２５】
また、本実施形態ではストレッチフィルムを用いて説明したが、これに限定するものではなく、伸縮性を有するシート状のものであればよい。
【００２６】
このように、パレットの側面に所定の幅のストレッチフィルムを巻きつけて段差を形成し、その段差に引っ掛けて、パレットと荷物とにストレッチフィルムを巻き付ける。これによって、パレットへ巻き付けたシートが外れることを抑制することができるシート巻き装置、巻き付け方法および梱包物を提供することができた。
【００２７】
（第２の実施形態）
以下、図面を参照して本発明の第２の実施形態を説明する。なお、本実施形態の基本的な構成は第１の実施形態と同様であるため、以下では特徴的な構成についてのみ説明する。
【００２８】
図９は、本実施形態におけるフィルム巻き装置１６の全体を示す斜視図である。本実施形態の構成は、第１の実施形態とフィルムガイドの構成が異なる。なお、第１の実施形態の図３（ａ）、（ｂ）で説明した構成はいずれも本実施形態に適用可能である。本実施形態におけるフィルムガイド１１は、刃物（切断部材）１２を備えている。フィルムガイド１１を設置する高さ位置は、刃物１２の刃先が、パレット１を装置に設置した際にパレット１上面と、ほぼ同じ高さになるように設定される。
【００２９】
図１０（ａ）、（ｂ）は、本実施形態のフィルムガイド１１を示した図である。フィルムガイド１１は、円筒形状の筒内に出し入れ可能な刃物１２を内包している。通常、刃物１２は筒内に内包されており（図１０（ａ）参照）、必要な時に突出させることができる（図１０（ｂ）参照）。刃物１２は、ストレッチフィルム８を突き刺した際に、刃物１２の先端角度がストレッチフィルムを貫通可能な角度である２０°±１０°に設定することが好ましい。本実施形態では先端角度を２０°に設定した。また、刃物１２は、刃物の断面（図１０（ｂ）参照）における長手方向が、パレット１上面と交差しないように設置し、ストレッチフィルム８に対して垂直に刃物１２が当たることが好ましい。このように刃物１２を設置し、刃物１２がストレッチフィルム８に突き刺さった状態で、回転テーブル２が回転をすることで、引き出されたストレッチフィルム８に、パレット１の上面と平行なスリットを入れることが可能となる。
【００３０】
パレット１にストレッチフィルム８の端部を結ぶ際、刃物１２は、フィルムガイド１１内に完全に内包された状態となっている。この状態では、刃物１２はストレッチフィルム８に接触していない。パレット１にストレッチフィルム８の端部を結び、ストレッチフィルム巻き装置１６のスタートスイッチを押すと、フィルムガイド１１から刃物１２が突出し、ストレッチフィルム８を突き破る。その後、刃物１２が突出した状態でパレット１が回転を開始し、ストレッチフィルム８は刃物１２によってスリットされ、パレット１に巻かれる部分と荷物６に巻かれる部分で分離されて荷物６に巻かれる。この状態でパレット１と荷物６にそれぞれ、２、３周程、ストレッチフィルム８が巻かれる。
【００３１】
図１１は、本実施形態の仮巻き工程で、ストレッチフィルム８をパレット１と荷物６とに巻き付けた状態を示した図である。仮巻き工程で、ストレッチフィルム８はスリットされつつ巻かれるため、パレット１と荷物６との両方にストレッチフィルム８が巻かれる。仮巻き工程では、パレット１に対して２から３回ストレッチフィルム８を巻き付ける。仮巻き工程が終了すると、刃物１２はフィルムガイド１１内に内包されて、ストレッチフィルム８は、スリットされることなく、本巻き工程としてパレット１および荷物６に巻きつけられる。
【００３２】
本実施形態の巻き付け方によると、第１の実施形態と同様にストレッチフィルム８がパレット１に厚く巻かれることにより、ストレッチフィルム８が、パレット１から外れにくい状態が生成される。また、本実施形態の特徴として、仮巻き工程においてストレッチフィルム８がパレット１だけでなく、荷物６にも巻かれる。よって、本巻き工程を下段で行った際に、ストレッチフィルム８は粘着性を持っているため、荷物６に仮巻きされたストレッチフィルム８に対して、本巻きされたストレッチフィルム８が付着するため、ストレッチフィルム８がパレット１から外れにくい状態になる。
【００３３】
なお、仮巻き工程で、パレット１と荷物６とに同時にストレッチフィルム８を巻き付けるにあたり、パレット１と荷物６との外周長は異なるが、ストレッチフィルム８は伸縮性に優れた材質であるため、巻き付け時に弛み等が生じることはない。
【００３４】
このように、シートを切断しつつ、パレットの側面に所定の幅にしたストレッチフィルムを巻きつけて段差を形成し、その段差に引っ掛けて、パレットと荷物とにストレッチフィルムを巻き付ける。これによって、パレットへ巻き付けたシートが外れることを抑制することができるシート巻き装置、巻き付け方法および梱包物を提供することができた。
【符号の説明】
【００３５】
１  パレット
２  回転テーブル
３  ストレッチフィルムロール
４  ストレッチフィルム供給軸
５  フィルムガイド
６  荷物
８  ストレッチフィルム
【図１】
2016216052.tif 000003
【図２】
2016216052.tif 000004
【図３】
2016216052.tif 000005
【図４】
2016216052.tif 000006
【図５】
2016216052.tif 000007
【図６】
2016216052.tif 000008
【図７】
2016216052.tif 000009
【図８】
2016216052.tif 000010
【図９】
2016216052.tif 000011
【図１０】
2016216052.tif 000012
【図１１】
2016216052.tif 000013